(57)【要約】【課題】蛍光印刷と通常印刷を同時に検知することにより蛍光印刷の位置ずれを検知することのできる印刷品質検査装置。【解決手段】紫外線ランプ１１は、読取面２４に紫外線を照射し、蛍光印刷されている紙葉類Ｐの蛍光剤Ｐａを励起発光させる。可視光ランプ１０は、読取面２４に可視光を照射する。この結果、読取面２４には、紫外線ランプ１１から照射された紫外線及び可視光線が照射される。蛍光検知部２０は、励起発行された蛍光をラインセンサ２３ａで検知する。同様に可視光ランプ１０は、検知面に可視光を照射し、この可視光により反射された紙葉類Ｐからの反射光のみを検知する。このようにして検知された蛍光画像データ及び可視光画像データから蛍光印刷の印刷位置ずれを検知する。【選択図】図１
2009047568.tif 000002
【特許請求の範囲】
【請求項１】
搬送される紙葉類が読取面を通過する際に当該読取面を照射し、その読取面から放射される光を読み取り印刷品質を検査する印刷品質検査装置であって、
前記読取面に紫外線を照射する紫外線ランプと、
前記読取面に可視光を照射する可視光ランプと、
この可視光ランプと前記読取面の間に配置され、前記紙葉類が前記読取面を通過する際、前記紫外線によって励起発光される蛍光の波長を遮断する特性を有する第１の光学フィルタと、
前記紙葉類が通常印刷及び蛍光印刷されたものであり、当該紙葉類が前記読取面にあるとき、当該紙葉類に照射された紫外線によって励起された励起光である蛍光を検知する蛍光検知手段と、
前記紙葉類が前記読取面にあるとき、前記可視光ランプによって照射された前記紙葉類の前記通常印刷からの反射光を検知する可視光検知手段と、
前記蛍光検知手段及び前記可視光検知手段によって前記紙葉類の同一箇所を読み取り、前記蛍光検知手段で読み取った蛍光画像データ及び前記可視光検知手段で読み取った可視光画像データを記憶する記憶手段と、
この記憶手段に記憶された前記蛍光画像データ及び前記可視画像データから蛍光印刷のずれを検査する検査手段と、
を備えたことを特徴とする印刷品質検査装置。
【請求項２】
前記蛍光検知手段は、
前記読取面の所定の位置にある前記紙葉類から放射される光を集光するレンズと、
このレンズによって集光された光の中の蛍光発光波長領域を透過する分光特性を備えた第２の光学フィルタと、
この第２の光学フィルタを透過した蛍光を読み取る第１の読取手段と、
を備え、
前記可視光検知手段は、
前記読取面の所定の位置にある前記紙葉類から反射される光を集光するレンズと、
このレンズによって集光された光の中の可視光波長領域を透過する分光特性を備えた第３の光学フィルタと、
この第３の光学フィルタを透過した可視光を読み取る第２の読取手段と、
を備えたことを特徴とする請求項１記載の印刷品質検査装置。
【請求項３】
搬送される紙葉類が読取面を通過する際に当該読取面を照射し、その読取面から放射される光を読み取り印刷品質を検査する印刷品質検査装置であって、
前記読取面に紫外線を照射する紫外線ランプと、
前記読取面に可視光を照射する可視光ランプと、
前記紫外線ランプによって励起発光された蛍光発光領域及び前記可視光ランプから発光される可視光発光波長領域の何れもが通過可能な特性を有する第1の光学フィルタと、
前記紫外線ランプと前記可視光ランプの何れか一方を点灯するとき、他方を消灯する点灯制御装置と、
前記点灯制御装置を制御して駆動した前記紫外線ランプ又は前記可視光ランプを点灯し前記読取面を通過する紙葉類を検知する検知手段と、
この検知手段が、前記点灯制御手段によって前記紫外線ランプを点灯して読み取った蛍光画像データ、及び前記可視光ランプを点灯して読み取った可視光画像データを記憶する記憶手段と、
この記憶手段に記憶された前記蛍光画像データ及び前記可視光画像データから蛍光印刷のずれを検査する検査手段と、
を備えたことを特徴とする印刷品質検査装置。
【請求項４】
前記検知手段は、
前記読取面の所定の位置にある前記紙葉類から放射される光を集光するレンズと、
このレンズによって集光された光の中の蛍光発光波長領域、及びこの蛍光発光波長領域以外の可視光ランプの発光波長領域を透過する分光特性を備えた第２の光学フィルタと、
この第２の光学フィルタを透過した可視光を読み取る読取手段と、
を備えたことを特徴とする請求項１記載の印刷品質検査装置。
【発明の詳細な説明】
【技術分野】
【０００１】
本発明は、有価証券などの紙葉類の印刷品質検査装置に関する。
【背景技術】
【０００２】
有価証券などの紙葉類を処理する紙葉類処理装置は、処理単位に応じて一括して投入された紙葉類束から取出装置によって紙葉類を１枚ずつ取出して搬送し、紙葉類判別装置によって当該紙葉類の品質（形状、損傷、印刷など）を判別し、正常な券（以下、正券と称する。）、不良券（以下、損券と称する。）及び搬送異状券や２枚取り券などの排除券に区分して集積装置によって一次集積し、その一次集積された枚数が所定の枚数に達した場合には、紙帯などで施封する装置である。
【０００３】
上記紙葉類には、蛍光印刷と通常の印刷が同時に施される場合がある。この種の蛍光印刷と通常の印刷の印刷品質を検査する従来の方法を、以下図５を参照して説明する。
【０００４】
図５は、従来の蛍光印刷を検査する蛍光検査装置２００の構成を示す側断面図である。
【０００５】
従来の蛍光検査装置２００は、紫外線ランプ１１０、蛍光検知部１４０及びデータ処理部１５０などで構成される。このように構成された蛍光検査装置２００は、上記紙葉類処理装置（図示しない）の搬送路１６０に配置される。図は、このようにして搬送路１６０に配置された状態を示す。搬送路１６０は、搬送ベルト及び搬送ローラ１６１ａ・１６１ｂ、１６２ａ・１６２ｂなどで構成され、被検出媒体である紙葉類Ｐを図示矢印Ａ方向に挟持搬送する。
【０００６】
搬送された紙葉類Ｐが読取面１２４に到達すると、紫外線ランプ１１０から照射された紫外線が蛍光印刷に使用される蛍光インクに含有された蛍光剤Ｐａを照射することによって当該蛍光剤Ｐａが励起され励起光である蛍光が放射される。この際、読取面１２４から、当該箇所を照射した紫外線も反射されて上記蛍光と共に放射される。
【０００７】
このようにして、紙葉類Ｐが搬送されることにより、当該紙葉類Ｐの蛍光印刷部分が読取面１２４を通過することにより、紫外線及びこの紫外線によって励起された励起光が搬送に伴って順次放射される。
【０００８】
放射された紫外線及び励起光は、蛍光検知部１４０のレンズ１２１及び光学フィルタ１２２を透してカメラ１２３に入射される。
【０００９】
レンズ１２１は、カメラ１２３内のラインセンサ１２３ａに読取面１２４の画像を撮像する際の読取面１２４での読取範囲の設定、ピント調整に用いられる。
【００１０】
光学フィルタ１２２は、上記入射光に混入する検知面から反射する紫外線を遮断する。この結果、カメラ１２３には、蛍光が入射される。実際には、周辺の一般光の進入を防ぐような形態で使用される。
【００１１】
このようにして入射された励起光は、１走査ごとにカメラ内のセンサ１２３ａで読み込まれ、読み込まれたデータは、データ処理部１５０に出力される。
【００１２】
このようにして紙葉類Ｐが読取面１２４を通りすぎると、紙葉類Ｐの蛍光検知データが全て読み取られる。このようにして読み取れたデータは、データ処理部１５０で処理され、蛍光印刷の印刷位置及びその内容が検査される。従って、この蛍光印刷位置の判断は、事前に評価された標準的な紙葉類端（先端又は側端）からの標準的な蛍光印刷位置に対する検知した蛍光印刷位置を検証することにより行っている。なお、一般的な蛍光検知方法として紫外線を媒体に照射し、その反射光を受光部で検知するブリーチ発光検知を行う方法が知られている（例えば、特許文献１参照。）。
【特許文献１】特開２００３−２８８６２９号公報  （第４頁、図１）
【発明の開示】
【発明が解決しようとする課題】
【００１３】
しかしながら、この蛍光検査装置は、蛍光印刷以外の部分は励起光がないため、黒化した画像となり、蛍光印刷以外の一般的な印刷模様を同時に検出することができないため、蛍光印刷と通常の印刷の相対的な位置関係を検出することができなかった。その結果、蛍光印刷と、通常印刷の模様が版ずれして印刷された場合であっても、この印刷不良を検出できないという課題があった。
【００１４】
本発明は、上述した課題を解決するためになされたもので、蛍光印刷と通常印刷の印刷ずれを検知することのできる印刷品質検査装置を提供することを目的とする。
【課題を解決するための手段】
【００１５】
上記目的を達成するために、本発明の請求項１記載の印刷品質検査装置は、搬送される紙葉類が読取面を通過する際に当該読取面を照射し、その読取面から放射される光を読み取り印刷品質を検査する印刷品質検査装置であって、前記読取面に紫外線を照射する紫外線ランプと、前記読取面に可視光を照射する可視光ランプと、この可視光ランプと前記読取面の間に配置され、前記紙葉類が前記読取面を通過する際、前記紫外線によって励起発光される蛍光の波長を遮断する特性を有する第１の光学フィルタと、前記紙葉類が通常印刷及び蛍光印刷されたものであり、当該紙葉類が前記読取面にあるとき、当該紙葉類に照射された紫外線によって励起された励起光である蛍光を検知する蛍光検知手段と、前記紙葉類が前記読取面にあるとき、前記可視光ランプによって照射された前記紙葉類の前記通常印刷からの反射光を検知する可視光検知手段と、前記蛍光検知手段及び前記可視光検知手段によって前記紙葉類の同一箇所を読み取り、前記蛍光検知手段で読み取った蛍光画像データ及び前記可視光検知手段で読み取った可視光画像データを記憶する記憶手段と、この記憶手段に記憶された前記蛍光画像データ及び前記可視画像データから蛍光印刷のずれを検査する検査手段と、を備えたことを特徴とする。
【００１６】
また、請求項３記載の印刷品質検査装置は、搬送される紙葉類が読取面を通過する際に当該読取面を照射し、その読取面から放射される光を読み取り印刷品質を検査する印刷品質検査装置であって、前記読取面に紫外線を照射する紫外線ランプと、前記読取面に可視光を照射する可視光ランプと、前記紫外線ランプによって励起発光された蛍光発光領域及び前記可視光ランプから発光される可視光発光波長領域の何れもが通過可能な特性を有する第1の光学フィルタと、前記紫外線ランプと前記可視光ランプの何れか一方を点灯するとき、他方を消灯する点灯制御装置と、前記点灯制御装置を制御して駆動した前記紫外線ランプ又は前記可視光ランプを点灯し前記読取面を通過する紙葉類を検知する検知手段と、この検知手段が、前記点灯制御手段によって前記紫外線ランプを点灯して読み取った蛍光画像データ、及び前記可視光ランプを点灯して読み取った可視光画像データを記憶する記憶手段と、この記憶手段に記憶された前記蛍光画像データ及び前記可視光画像データから蛍光印刷のずれを検査する検査手段と、を備えたことを特徴とする。
【発明の効果】
【００１７】
本発明によれば、蛍光印刷と通常印刷の印刷ずれを検知することができる。
【発明を実施するための最良の形態】
【００１８】
以下、図面を参照して本発明の実施例を説明する。
【実施例１】
【００１９】
図１は、本発明の印刷品質検査装置の実施例１による蛍光検査装置１００の側断面図である。図２は、図１に示す光学フィルタ１０ａ、２２、３２などの分光感度特性を示す図である。この蛍光検査装置１００は、紫外線ランプ１１、可視光ランプ１０、検知部４０及びデータ処理部５０などで構成される。
【００２０】
このように構成された蛍光検査装置１００は、例えば、上述した紙葉類処理装置（図示しない）の搬送路６０に配置される。図はこのようにして搬送路６０に配置された状態を示す。
【００２１】
搬送路６０は、搬送ローラ６１ａ・６１ｂ、６２ａ・６２ｂ及びこれに掛け回された搬送ベルトなどで構成され、紙葉類Ｐをこの搬送ベルトで挟持して図示矢印Ａ方向に搬送する。図示した例は、検知部４０による蛍光検知２０又は可視検知部３０の主走査方向（搬送路６０に直交する奥行き方向）の読取範囲を十分にとるために当該部分に搬送ベルトを掛け回さず、上述した搬送ローラ６１ａ・６１ｂ、６２ａ・６２ｂの配置間隔を調整することによって紙葉類Ｐを搬送する場合を示す。
【００２２】
紫外線ランプ１１は、読取面２４に紫外線を照射するランプである。この紫外線ランプ１１は、紙葉類Ｐが蛍光印刷されている場合のその蛍光剤Ｐａを励起する励起発光波長を含んでいる。この紫外線の対波長に対する発光強度特性を図２（１）に示す。
【００２３】
可視光ランプ１０は、読取面２４に可視光を照射するランプである。この可視光ランプ１０の対波長に対する発光強度特性を図２（３）Ａに示す。
【００２４】
この可視光ランプ１０と読取面２４との間には光学フィルタ１０ａが設けられており、この光学フィルタ１０ａの分光感度特性を図２（３）Ｂに示す。この図に示すように、フィルタ１０ａ分光感度特性は、上記紫外線ランプ１１によって励起される蛍光発光波長領域（図２（２）Ａ参照）の発光波長は遮断される。
【００２５】
この結果、読取面２４には、紫外線ランプ１１から照射された紫外線及びこの紫外線によって励起される蛍光発光波長領域の可視光を光学フィルタ１０ａにより遮断した可視光が照射される。
【００２６】
検知部４０は、蛍光検知部２０及び可視光検知部３０で構成される。
【００２７】
蛍光検知部２０は、図５に示す従来の蛍光検知装置１４０と同様に構成される。すなわち、読取面２４からの反射光はレンズ２１で集光される。レンズ２１で集光された光は光学フィルタ２２を通過する。この光学フィルタ２２（第２の光学フィルタ）は、読取面２４から反射される励起発光（蛍光）波長域は透過するがそれ以外の紫外線及び可視光を遮断する特性を有する。このフィルタの対波長に対する分光感度特性を図２（２）に示す。この結果、蛍光のみがこの光学フィルタ２２を通過する。
【００２８】
このようにして光学フィルタ２２を通過した光は、カメラ２３のラインセンサ２３ａで検出される。このラインセンサ２３ａは、搬送方向と直交する方向（この方向を主走査方向と称する。）に配列されたラインセンサであるＣＣＤ（Charge Coupled Device）センサなどで構成され、所定の速度で走査し、その蛍光データをデータ処理部５０に出力する。
【００２９】
データ処理部５０は、一種のマイクロコンピュータシステムであり、入力される画像を記憶する記憶手段としてのメモリと与えられた画像データを解析するプロセッサ（ＣＰＵ）を有している。このように構成されたデータ処理部５０において、蛍光検知部２０から出力された主走査方向の蛍光画像データを１ライン分メモリに記憶する。紙葉類Ｐが搬送路６０によって搬送されることにより、紙葉類Ｐの全範囲の蛍光画像データが記憶される。
【００３０】
可視光検知部３０は、光学フィルタ（第３の光学フィルタ）３２以外は蛍光検知部２０同様に構成されるため、上述した蛍光検知部２０と同様部分の説明は省略し、光学フィルタ３２の説明を行う。
【００３１】
光学フィルタ３２は、紫外線領域及び励起発光波長域を除く可視領域の光を透過するフィルタである。この光学フィルタ３２の対波長に対する分光感度特性を図２（４）に示す。
【００３２】
このようにして、可視光検知部３０によって可視光線が検知される。検知された可視光画像データは、データ処理部５０に記憶される。また、上述した蛍光画像データ同様に紙葉類Ｐが搬送路６０によって搬送されることにより、紙葉類Ｐの全範囲の可視画像データが記憶される。
【００３３】
上述した蛍光検知部２０と可視光検知部３０は読取面２４を同時に検知するため、紙葉類Ｐの同一箇所を検知することができる。この結果、紙葉類Ｐの印刷部Ｐａに関する可視光画像データと蛍光画像データ印刷との印刷位置ずれを検知することが可能になる。すなわち、データ処理部５０のＣＰＵは、検査手段として可視光画像データ及び蛍光画像データをその相対的な位置、及び量を検査することにより蛍光画像データの印刷ずれを検査する。
【００３４】
可視光画像データの印刷位置に対して特徴有る部分にさらに蛍光印刷する場合が多いため、一般的に、可視光画像データを基準として蛍光印刷位置ずれを検査する場合が多いがこれに限るものではない。
【００３５】
すなわち、上記可視光検知部３０で検出された可視光画像データを用いて、紙葉類Ｐに印刷された蛍光印刷以外の一般の印刷模様を検出することができる。
【００３６】
また、上記蛍光検知部２０で検出された蛍光画像データを用いて、紙葉類Ｐに印刷された蛍光印刷の蛍光発光量、発光模様を検出することができる。
【００３７】
ここで、上記可視光検知部３０と蛍光検知部２０とは、予め同じ読取面２４を検知するように設定されているため、もしくは、両者の相対的な位置関係が正確に把握されているため、可視光画像データから得られる蛍光印刷以外の印刷模様の位置に対する蛍光画像データから得られる蛍光印刷の相対的な位置関係を検査することができる。
【００３８】
上述したように、本発明の実施例によれば、蛍光検査装置１００を用いて、蛍光印刷と通常の印刷が同時に施されている紙葉類Ｐに対して、通常印刷と蛍光印刷の印刷位置ずれを検知することが可能になる。
【実施例２】
【００３９】
図３は、本発明の実施例２による蛍光検査装置１１０の側断面図である。図４は、図３に示す光学フィルタ（第１の光学フィルタ）の分光感度特性を示す図である。この蛍光検査装置１１０は、検知部２０ａ、紫外線ランプ１１及び可視光ランプ１０を点灯制御装置７０によって制御する構成になっている。その他の部分は実施例１と同じであるため、同じ部分には同じ符号を付して、異なる部分の説明を行う。なお、この検知部２０ａを構成する光学フィルタ（第２の光学フィルタ）２２ａは実施例１に示す光学フィルタ２０と分光感度特性が異なるものを使用する。詳細は後述する。
【００４０】
初めに、点灯制御装置７０を駆動して紫外線ランプ１１のみ点灯させ、可視光ランプ１０を消灯させる。紫外線を照射された紙葉類Ｐの蛍光剤Ｐａは紫外線によって励起され、励起発光（蛍光）を行う。この結果、読取面２４にある紙葉類Ｐ表面からは、照射した紫外線の反射光及び励起発光した蛍光の何れもが放射される。この放射された光は、レンズ２１で集光され、光学フィルタ２２ａを通過する。
【００４１】
この光学フィルタ２２ａは、紫外線を遮断し、励起発光した蛍光を透過する特性を有するように構成する（図４参照）。
【００４２】
この結果、この光学フィルタを通過した蛍光はカメラ２３のラインセンサ２３ａで検出される。この検出されたデータはデータ処理部５０に出力される。
【００４３】
次に、点灯制御装置７０を駆動して紫外線ランプ１１を消灯し、可視光ランプ１０を点灯する。可視光を照射された読取面２４にある紙葉類Ｐ表面からは、照射した可視光の反射光が放射される。この放射された光は、レンズ２１で集光され、光学フィルタ２２ａを通過する。
【００４４】
この光学フィルタ（第1の光学フィルタ）２２ａは、上記励起発光（蛍光）領域及び上記可視光通過領域の何れもが通過可能な光学フィルタの分光感度特性を有する。この光学フィルタ２２ａの対波長に対する分光感度特性を図４に示す。
【００４５】
なお、光学フィルタ２２ａの分光感度特性は図４（２）に示す特性を有する場合であっても同様の効果を得ることができる。図４（１）に示す分光感度特性を有するフィルタは、異なる波長に対する２つのバンドパスフィルタを構成することになり、構成が複雑になる。一方、本実施例の場合、紫外線の発光タイミングと可視光の発光タイミングが同時に発生しないために、蛍光発光波長Ａと可視光発光波長Ｂが同時に発光しない。従って、図４（２）に示す分光感度特性を有する光学フィルタを用いた場合であっても図４（１）の分光感度特性を有する光学フィルタと同様の効果が得られる。
【００４６】
この結果、この光学フィルタ２２ａを通過した可視光はカメラ２３のラインセンサ２３ａで検出される。この検出されたデータはデータ処理部５０に出力される。
【００４７】
次に、可視光ランプ１０を消灯し、紫外線ランプ１１を点灯し、上述した動作を繰り返すことにより、紙葉類Ｐが搬送路６０を通過することにより紙葉類Ｐの全範囲の蛍光画像データ及び可視光画像データがデータ処理部５０に記憶される。
【００４８】
その後の処理は実施例１と同様である。
【００４９】
なお、上記蛍光画像又は可視光画像の検出を、点灯を切換えることにより行ったが、この場合には、当該紙葉類Ｐの搬送速度とラインセンサ２３ａの主走査速度の関係に留意する必要がある。すなわち、紙葉類Ｐが搬送されるために同一箇所の可視画像に対する蛍光画像を同一のカメラ２３で検出する場合には、読取面２４が移動するため、許容される検出誤差の範囲で本実施例２を実施する必要がある。
【００５０】
以上説明したように、本実施例２によれば、本発明の課題である蛍光印刷と通常印刷の印刷ずれを、１個の検知部２０ａを用いて検査することができるため、検知部を小型化することが可能になる。
【図面の簡単な説明】
【００５１】
【図１】本発明の実施例１による蛍光検査装置の側断面図。
【図２】図１に示す光学フィルタの分光感度特性を示す図。
【図３】本発明の実施例２による蛍光検査装置の側断面図。
【図４】図３に示す光学フィルタの分光感度特性を示す図。
【図５】従来の蛍光検査装置。
【符号の説明】
【００５２】
Ｐ  紙葉類
Ｐａ  蛍光剤
１０  可視光ランプ
１０ａ  光学フィルタ
１１  紫外線ランプ
２０  蛍光検知部
２１、３１  レンズ
２２、２２ａ、３２  光学フィルタ
２３、３３  カメラ
２３ａ、３３ａ  ラインセンサ
２４  検知面
３０  可視光検知部
４０  検知部
５０  データ処理部
６０  搬送路
７０  点灯制御装置
１００  蛍光検査装置
【図１】
2009047568.tif 000003
【図２】
2009047568.tif 000004
【図３】
2009047568.tif 000005
【図４】
2009047568.tif 000006
【図５】
2009047568.tif 000007